(57)【特許請求の範囲】
【請求項１】
機体（１）に搭載されたホースドラム（２）に巻かれたホース（５）の繰り出し部分（５ａ）が内部に挿通されて前記ホース（５）を前記機体（１）の外方へ案内するホースガイド（１０）であり、螺旋状に形成されることにより、前記ホース（５）に付着した泥やゴミが通過可能な螺旋状の間隙（Ｓ）を全体に備え、後端部（１０ａ）が前記機体（１）側に取り付けられてなることを特徴とするホースガイド。
【請求項２】
機体（１）に搭載されたホースドラム（２）に巻かれたホース（５）の繰り出し部分（５ａ）が内部に挿通されて前記ホース（５）を前記機体（１）の外方へ案内するホースガイド（１０）であり、弾性素材により螺旋状に形成されることにより、前記ホース（５）に付着した泥やゴミが通過可能な螺旋状の間隙（Ｓ）を全体に備え、後端部（１０ａ）が前記機体（１）側に取り付けられてなることを特徴とするホースガイド。
【請求項３】
先端部（１０ｂ）にホース受けローラ（１５）を設けたことを特徴とする請求項１又は２に記載のホースガイド。
【発明の詳細な説明】
【０００１】
【発明の属する技術分野】
本発明は、薬液散布作業等に用いられる、いわゆるセット動噴、その他、機体に支持されたホースドラムに巻かれたホースの繰り出し部分を、前記機体の外方へ案内するホースガイドに関する。
【０００２】
【従来の技術】
セット動噴のホースドラムに巻かれたホースの繰り出し及び巻き取り時に、該ホースが弛んで、前記セット動噴の機体や他の機器に接触したり、引っ掛かったりすること及び前記ホースの損傷を防止するため、前記ホースドラムに巻かれた前記ホースをセット動噴の機体外まで案内する案内筒を設けた考案が提案されている（実公平５−３２５２号公報参照）。該考案の案内筒は、ホースに付着した泥等が、機体、原動機、ポンプ等に落下してこれらを汚損することがないようにせしめる効果をも有する。
【０００３】
【発明が解決しようとする課題】
本発明は、ホース巻き取り時に、該ホースに付着した泥、ごみ等の除去性能の向上を図るとともに、ホース繰り出し時及び巻き取り時等において、ホース及びホースガイドに加えられる負荷の軽減を図り、前記ホース及びホースガイドを保護し、同時に作業の効率化を図ることを目的とする。
【０００４】
【課題を解決するための手段】
前記目的を達成するため、請求項１に示す本発明のホースガイドは、機体に搭載されたホースドラムに巻かれたホースの繰り出し部分が内部に挿通されて該ホースを前記機体の外方へ案内するホースガイドであり、螺旋状に形成されることにより、前記ホースに付着した泥やゴミが通過可能な螺旋状の間隙を全体に備え、後端部が前記機体側に取り付けられてなることを特徴とする。なお、前記ホースガイドの前記後端部が取り付けられる前記機体側とは、狭義の機体に限らず、該狭義の機体に支持あるいは搭載された各種の機器類をも含む。
【０００５】
前記請求項１に示す本発明によれば、ホースガイドが、従来のように筒体ではなく、螺旋状に形成されることにより、ホースガイド全体に、前記ホースに付着した泥やゴミが通過可能な螺旋状の間隙が構成されている。したがって、作業のため繰り出されたホースに付着した泥、ごみ等は、該ホースの巻き取り時に、前記螺旋状の間隙から効果的に落下除去され、ホースガイドローラ、ホース繰り出し及び巻き取りローラ、ホースドラム部等に侵入することが防止される。
【０００６】
請求項２に示す第二発明のホースガイドは、螺旋状に形成された前記ホースガイドを、弾性素材により形成したことを特徴とする。この請求項２に示す第二発明によれば、前記請求項１に示した、泥、ごみ等の除去効果に加えて、液体噴霧作業等のホース繰り出し時及び巻き取り時において、前記ホースガイドが、前記ホースの動きに順応及び変形させられる。
【０００７】
すなわち、前記ホース及び前記ホースガイドに加えられる負荷が軽減され、したがって、前記ホースの屈曲、前記ホースガイドの無理な変形等が防止され、結果として、前記ホース及び前記ホースガイドが保護され、スムーズな液体噴霧作業等を可能にする。また、前記ホースを巻き取り過ぎた場合には、前記ホースガイドが押し縮められてダンパーの役も果たすので、前紀ホースの破損防止に一層貢献する。
【０００８】
請求項３に示す実施の一形態は、前記請求項１又は２の構成に加えて、前記ホースガイドの先端部に、ホース受けローラを設けたことを特徴とする。この請求項３に示す実施の一形態によれば、ホース繰り出し及び巻き取り時に、前記ホースが、前記ホースガイド先端において摩擦抵抗等を受けたり、屈曲させられたりすることが防止され、前記ホースの繰り出し及び巻き取りが、きわめてスムーズに行われる。
【０００９】
【発明の実施の形態】
以下に、本発明の実施の一形態を、図面に基づいて説明する。図１は、機体１に、回転自在のホースドラム２が搭載されたセット動噴Ａの一例であり、前記機体１には、さらに、モーター又はガソリンエンジン等の原動機３、該原動機３により駆動される高圧ポンプ４、前記ホースドラム２に巻かれたホース５の繰り出し及び整列巻き取り装置６、該装置６に設けられたホースガイドローラ７、該ホースガイドローラ７の支持部８等が搭載されている。
【００１０】
なお、該支持部８は、その詳細を図示しないが、前記ホースドラム２の前記ホース５の巻き幅方向に横行自在に構成され、前記ホースドラム２に対して前記ホース５の整列巻き取りが行われるように構成されており、さらに、首振り自在に構成されている。
【００１１】
図中、９は、前記機体１の側方に設けられたカバーであり、該カバー９の内側には、図示しない、周知の、スプロケットやローラチェーン等よりなる、前記原動機３の駆動力を前記ホースドラム２及び前記繰り出し及び整列巻き取り装置６に伝達するための動力伝達系が配置されている。図中、２０は、車輪である。
【００１２】
前記構成において、前記ホースドラム２に巻き込まれている前記ホース５の繰り出し部分５ａが、前記繰り出し及び整列巻き取り装置６、前記ホースガイドローラ７を通って前記機体１の外方へ引き出され、前記原動機３の駆動力で前記ホースドラム２を巻き取り方向に回動することにより整列状に巻き取られる。
【００１３】
本発明実施の一形態のホースガイド１０は、前記セット動噴Ａの前記ホースガイドローラ７の前記支持部８に取り付けられる。その詳細が図２に示されている。すなわち、本発明実施の一形態の前記ホースガイド１０は、前記機体１の外方に向け、かつ螺旋状に形成され、その後端部１０ａが、前記機体１側、具体的には、前記ホースガイドローラ７の前記支持部８に固定される。
【００１４】
図面実施の一形態では、前記ホースガイドローラ７の前記支持部８の、前記ホース５の引き出し方向に、前記ホースガイド１０の取付金具１１が、ボルト１２、ナット１３により取り付けられている。前記ホースガイド１０の前記取付金具１１は、図面実施の一形態では、トンネル状に形成され、さらに内部に、前記ホースガイド１０の前記後端部１０ａの内径に適合する嵌合金具１４を有する。
【００１５】
そして、前記ホースガイド１０の前記取付金具１１及び前記ホースガイド１０の前記嵌合金具１４を介して、前記ホースガイド１０の前記後端部１０ａが、前記ホースガイド１０の前記取付金具１１に取り付けられている。もっとも、前記ホースガイド１０の後端部１０ａを、前記ホースガイド１０の前記取付金具１１に溶接により直接固定してもよい。
【００１６】
さらに図面実施の一形態では、図２に示すように、前記ホースガイド１０の先端部１０ｂに、前記ホース５の受けローラ１５が設けられている。すなわち、前記ホースガイド１０の前記先端部１０ｂに、その内径に適合する前記ホース受けローラ１５の支持金具１６が固着され、該支持金具１６に設けられた平行プレート１７間に水平に橋架された中心軸１８によって、前記ホース受けローラ１５が回動自在に設けられている。
【００１７】
図中、１９は、前記平行プレート１７の先端に、前記ホース５を受け入れるようにアーチ状に設けられ、前記ホース受けローラ１５に掛けられた前記ホース５の外れを防止するホース押えである。
【００１８】
前記構成において、前記本発明実施の一形態のホースガイド１０は、好ましくは、ばね鋼線材等の弾性素材により螺旋状に形成される。なお、弾性の程度は、前記ホース５を所定の高さに支持しつつ、かつ上下左右の全周方向に適度に変形する程度が好ましい。
【００１９】
前記構成の本発明実施の一形態のホースガイド１０によれば、該ホースガイド１０の全体に螺旋状の間隙Ｓが形成されているため、作業のために繰り出された前記ホース５の前記繰り出し部分５ａに付着した泥、ゴミ等は、前記ホース５の巻き取り時に、前記ホースガイド１０との接触、あるいは前記ホース５自体の振動等により分離され、前記螺旋状の間隙Ｓから落下除去され、前記ホースガイドローラ７、ホース繰り出し、巻き取りローラ及びホースドラム２部等へ侵入することが防止される。
【００２０】
また、前記ホースガイド１０を弾性素材により形成すれば、前記ホース５及び前記ホースガイド１０に加えられる負荷が軽減され、例えば、前記ホース５の屈曲、前記ホースガイド１０の無理な変形等が防止され、結果として前記ホース５及び前記ホースガイド１０が保護され、同時に作業の効率化が図られる。
【００２１】
さらに、前記ホースガイド１０の前記先端部１０ｂに、前記ホース受けローラ１５を設ければ、ホース繰り出し及び巻き取り時に、前記ホース５が、前記ホースガイド１０の前記先端部１０ｂにおいて摩擦抵抗を受けたり、屈曲させられたりすることが防止され、前記ホース１０の繰り出し及び巻き取り及び液体散布作業等をきわめてスムーズに行うことができる。さらに、前記ホース５を巻き取り過ぎた場合には、前記ホースガイド１０が押し縮められてダンパーの役をはたすので、前記ホース５の破損防止にも役立つ。
【００２２】
【発明の効果】
前記本発明のホースガイドによれば、ホース巻き取り時において、該ホースに付着した泥、ごみ等が効果的に除去され、さらに液体噴霧作業等の、ホース繰り出し及び巻き取り時において、前記ホース及びホースガイドに加えられる負荷の軽減が図られ、ホース及びホースガイドが保護され、同時に作業の効率化が図られる
【図面の簡単な説明】
【図１】  セット動噴の一例を示す斜視図である。
【図２】  本発明実施の一形態のホースガイド取り付け部の一部断面図である。
【符号の説明】
１      機体
２      ホースドラム
５      ホース
５ａ    （ホース５の）繰り出し部分
１０    ホースガイド
１０ａ  （ホースガイド１０の）後端部
１０ｂ  （ホースガイド１０の）先端部
１５    ホース受けローラ
Ｓ      螺旋状の間隙
【図１】
0004097246.tif 000002
【図２】
0004097246.tif 000003